(57)【要約】【課題】表示パネルなどの表示部の寿命が短くなることを防止できる電子機器を提供する。【解決手段】カーナビ１は機器本体２と機器本体２の前面２ｄから当該機器本体２の内外に移動自在に設けられたタッチ装置３と表示ユニット５と巻き付け軸６を備えている。表示ユニット５は一端部がタッチ装置３の上端部３ａに取り付けられているとともに可撓性を有するスクリーン状に形成されている。巻き付け軸６は機器本体２内でかつ開口部２ａの近傍に回転自在に設けられかつ表示ユニット５の他端部が取り付けられている。巻き付け軸６はタッチ装置３が機器本体２内に収容されると表示ユニット５を巻き付ける。【選択図】図６
2010032905.tif 000002
【特許請求の範囲】
【請求項１】
機器本体と、
前記機器本体の前面に設けられた開口部から当該機器本体に出し入れ自在に設けられかつ機器本体外で押圧操作される操作面が露出した状態に位置付けられるタッチ装置と、
一端部が、前記操作面が露出した状態に位置付けられた前記タッチ装置の上端部に取り付けられた可撓性を有するスクリーン状の表示部と、
前記機器本体内でかつ前記開口部の近傍に回転自在に設けられ、かつ前記表示部の他端部が取り付けられているとともに、前記タッチ装置が前記機器本体内に収容されると前記表示部を巻き付ける巻き付け軸と、を備えたことを特徴とする電子機器。
【請求項２】
前記巻き付け軸を、前記表示部を巻きつける方向に付勢する付勢手段を備えたことを特徴とする請求項１記載の電子機器。
【請求項３】
前記操作面が露出した状態に位置付けられた前記タッチ装置の上端部と下端部とに亘って移動自在に設けられ、かつ前記上端部から前記下端部に向かって付勢されているとともに、前記タッチ装置との間に前記表示部を挟む保持部材を備えたことを特徴とする請求項１又は請求項２記載の電子機器。
【請求項４】
前記保持部材は、回転自在に設けられ、かつ前記タッチ装置との間に前記表示部を挟むローラ部材を備えたことを特徴とする請求項３記載の電子機器。
【発明の詳細な説明】
【技術分野】
【０００１】
本発明は、例えば、自動車等の移動体に装着されるとともに、機器本体に対して出し入れ自在に設けられた表示部を備えた電子機器に関する。
【背景技術】
【０００２】
従来から、移動体としての自動車には、電子機器としてのナビゲーション装置（以下カーナビと呼び、例えば、特許文献１参照）が取り付けられることがある。前述した従来のカーナビは、箱状の機器本体と、この機器本体に出し入れ自在な表示ユニットと表示ユニットを出し入れする駆動機構と、を備えている。
【０００３】
機器本体は、扁平な箱状に形成されており、前述した自動車のインストルメントパネルに取り付けられる。機器本体は、ナビゲーションユニット、テレビチューナや、ＤＶＤ（Digital Versatile Disk）プレーヤなどを収容している。
【０００４】
表示ユニットは、扁平な板状に形成されており、例えば、ＬＣＤ（Liquid Crystal Display）などの表示パネルを備えている。表示ユニットは、表示パネルにナビゲーションユニットからの情報、ディスク駆動装置が再生した情報や、テレビチューナが受信したテレビ映像を表示する。表示ユニットは、駆動機構によって、機器本体の前面に設けられた開口部を通して、当該機器本体に出し入れ自在に設けられている。
【０００５】
駆動機構は、前述した表示ユニットを機器本体に出し入れする。駆動機構は、表示パネルが下方に相対する状態で前述した表示ユニットを機器本体に収容した収容位置と、この表示ユニットを表示パネルの表面に沿って機器本体外に位置付けた排出位置とに亘って、前記表示ユニットを移動する。また、駆動機構は、前述した排出位置において、表示ユニットの一端部としての下端部を中心として回転して、表示パネルを使用者に対して相対させたり、表示パネルを下方に相対させる。
【０００６】
前述した特許文献１に示されたカーナビは、機器本体内に表示ユニットを収容した状態で、駆動機構が表示パネルの表面に沿って表示ユニットを機器本体外に一旦移動する。そして、駆動機構が、下端部を中心として表示ユニットを回転して、表示パネルを前述した自動車の乗員などに相対させる。そして、前述したカーナビは、ナビゲーションユニットからの情報、ＤＶＤプレーヤが再生した情報や、テレビチューナが受信したテレビ映像を表示パネルに表示する。
【特許文献１】特開２００２−５５６２５号公報
【発明の開示】
【発明が解決しようとする課題】
【０００７】
前述したカーナビは、表示ユニットを機器本体内に収容すると、当該表示ユニットが機器本体内のＤＶＤプレーヤなどを構成する印刷配線板や当該印刷配線板に実装された各種の回路部品と相対する。このため、前記表示ユニットを機器本体内に収容したままで、ＤＶＤプレーヤなどを駆動して、音声情報を出力する際に、前記印刷配線板に実装された各種の回路部品が発生した熱が、殆ど直接、表示ユニットに伝わってしまう。このため、前述した従来のカーナビでは、表示ユニットの表示パネルが前述した熱の影響を受けてしまい、当該表示パネルの寿命が短くなる傾向であった。
【０００８】
したがって、本発明の目的は、例えば、表示パネルなどの表示部の寿命が短くなることを防止できる電子機器を提供することにある。
【課題を解決するための手段】
【０００９】
前記課題を解決し目的を達成するために、請求項１に記載の本発明の電子機器は、機器本体と、前記機器本体の前面に設けられた開口部から当該機器本体に出し入れ自在に設けられかつ機器本体外で押圧操作される操作面が露出した状態に位置付けられるタッチ装置と、一端部が、前記操作面が露出した状態に位置付けられた前記タッチ装置の上端部に取り付けられた可撓性を有するスクリーン状の表示部と、前記機器本体内でかつ前記開口部の近傍に回転自在に設けられ、かつ前記表示部の他端部が取り付けられているとともに、前記タッチ装置が前記機器本体内に収容されると前記表示部を巻き付ける巻き付け軸と、を備えたことを特徴としている。
【発明を実施するための最良の形態】
【００１０】
以下、本発明の一実施形態にかかる電子機器を説明する。本発明の一実施形態にかかる電子機器は、機器本体の開口部の近傍に可撓性を有する表示部を巻きつけて収容するようにしている。こうすることで、当該表示部に機器本体内の各種の電子部品が発する熱が作用することを防止できる。よって、電子機器は、表示部の寿命が短くなることを防止することができる。
【００１１】
また、巻き付け軸を、表示部を巻きつける方向に付勢する付勢手段を設けても良い。この場合、タッチ装置を出し入れしても、当該タッチ装置と機器本体との間で表示部がたるむことを防止できる。
【００１２】
さらに、タッチ装置の下端部に向かって付勢されかつタッチ装置との間に表示部を挟む保持部材を設けても良い。この場合、タッチ装置を機器本体外に位置付けても、保持部材がタッチ装置との間に表示部を確実に挟むことができ、タッチ装置と機器本体との間で表示部がたるむことを防止できる。
【００１３】
また、保持部材が、回転自在に設けられかつタッチ装置との間に表示部を挟むローラ部材を設けても良い。このため、表示部が機器本体から出し入れされる際に、この表示部の移動とともに、ローラ部材が回転するので、保持部材が表示部を傷つけることを防止できる。
【実施例】
【００１４】
本発明の一実施例を、図１ないし図７に基づいて説明する。電子機器としてのカーナビゲーション装置（以下、カーナビと呼ぶ）１は、図１などに示すように、移動体としての自動車の被取付物としてのインストルメントパネル（以下、インパネと呼ぶ）Ｄなどに装着される。
【００１５】
カーナビ１は、図２ないし図５に示すように、機器本体２と、機器本体２内に出し入れ自在に設けられたタッチ装置３と、機器本体２内にタッチ装置３を出し入れする移送手段としての駆動機構４（図６及び図７に示す）と、表示部としての表示ユニット５（図６及び図７に示す）と、巻き付け軸６（図６及び図７に示す）と、保持部材７（図６及び図７に示す）とを備えている。
【００１６】
機器本体２は、扁平な箱状に形成されている。機器本体２は、インパネＤに取り付けられる。機器本体２は、インパネＤに装着された際に、自動車の乗員室側に相対向する前面２ｄに開口部２ａと後述のＣＤ、ＤＶＤ―ＲＯＭやＤＶＤビデオなどを出し入れする挿入口２ｂとを設けている。前面２ｄにおいて、開口部２ａが挿入口２ｂの上方に配置されている。
【００１７】
なお、以下、前述したＣＤ、ＤＶＤ―ＲＯＭやＤＶＤビデオなどを出し入れする際にこれらを移動する方向を奥行き方向Ｙとし、前述したＣＤ、ＤＶＤ―ＲＯＭやＤＶＤビデオの表面と平行でかつ奥行き方向Ｙと直交する方向を幅方向Ｘとし、前述した幅方向Ｘと奥行き方向Ｙとの双方と直交する方向を厚み方向Ｚとする。
【００１８】
また、機器本体２内は、図示しないナビゲーションユニットとプレーヤ装置とテレビチューナなどを収容している。即ち、カーナビ１は、ナビゲーションユニットと、プレーヤ装置と、テレビチューナを更に備えている。
【００１９】
ナビゲーションユニットは、前述した自動車の走行距離センサから該自動車のタイヤの回転に対応して車速パルス信号が入力する。ナビゲーションユニットは、前述した奥行き方向Ｙの加速度を検出する加速度センサや、ＧＰＳ（Global Positioning System：全地球測位システム）などを備えている。ナビゲーションユニットは、前述した加速度センサやＧＰＳなどを用いて、自動車の位置を測定したり、自動車の移動方向などを算出する。そして、ナビゲーションユニットは、自動車の位置や移動方向などを表示ユニット５に表示する。
【００２０】
プレーヤ装置は、周知のＣＤ（Compact Disk）、ＤＶＤ（Digital Versatile Disk）―ＲＯＭ（Read Only Memory）やＤＶＤビデオなどを再生する。プレーヤ装置は、ＣＤの情報を音声情報としてスピーカなどの外部機器に出力し、前述したＤＶＤ―ＲＯＭやＤＶＤビデオなどからの情報を表示ユニット５に表示する。テレビチューナは、テレビ放送を受信して、受信して得た映像を表示ユニット５に表示する。
【００２１】
タッチ装置３は、厚手の平板状に形成されている。タッチ装置３は、平板状の透明なタッチパネル８と、前記タッチパネル８の外縁部を覆う筐体部材９とを備えている。タッチパネル８は、互いに間隔をあけかつ互いに抵抗膜が相対して配置された一対の透明な電極板と、前記電極板の抵抗膜同士が接触した箇所を検出する検出回路などを備えた周知の所謂タッチパネルである。タッチパネル８は、使用者により前面８ａ（操作面に相当）の任意の箇所が押圧されると、この押圧された箇所を検出して、その検出した情報を機器本体内の前述したプレーヤ装置に向かって出力する。このように、タッチ装置３は、その前面８ａが押圧操作される。筐体部材９は、絶縁性の合成樹脂で構成され、かつ枠状に形成されてタッチパネル８の外縁部を覆っている。
【００２２】
前記タッチ装置３は、機器本体２内に、前記前面８ａが下方に相対した状態で収容される。タッチ装置３は、機器本体２内に収容されると、プレーヤ装置などの上に重ねられた格好となる。タッチ装置３は、開口部２ａを通して駆動機構４により機器本体２内外に移動自在である。
【００２３】
また、前述したタッチ装置３の機器本体２内に収容されると前記前面２ｄ側に露出する端面と、後述する視認位置において筐体部材３ｂのタッチパネル３ａの下方に位置する部分には、図２及び図５に示すように、操作手段としての操作部１３が設けられている。操作部１３は、複数の操作ボタン１４などを備えている。これらの操作ボタン１４即ち操作部１３は、後述する表示ユニット５に表示する情報を、ナビゲーションユニットからの情報と、ＤＶＤプレーヤからの情報と、テレビチューナからの情報とを切り換えるためなどに用いられる。また、操作ボタン１４即ち操作部１３は、機器本体２内からタッチ装置３を出し入れするためや、後述の視認位置で、タッチ装置３の向きを調整するためなどに用いられる。このため、操作ボタン１４即ち操作部１３は、視認位置にあるタッチ装置３を後述の収容位置に移動させるための指令を発する。
【００２４】
駆動機構４は、図６及び図７に示すように、固定部１０と、スライド部１２と、回動部１５とを備えている。固定部１０は、ラック２０を備えている。ラック２０は、機器本体２内に収容されかつ該機器本体２に固定されている。ラック２０は、直線状に形成されており、その長手方向は、前述した奥行き方向Ｙと平行に配置されている。ラック２０は、機器本体２の奥行き方向Ｙの全長に亘って設けられている。ラック２０は、開口部２ａから機器本体２の奥に向かって直線状に延在した格好に配置されている。
【００２５】
スライド部１２は、スライドシャーシ２１と、第１モータ２２と、ウォーム歯車２３とを備えている。スライドシャーシ２１は、板金などで構成されており、機器本体２外に排出された状態のタッチ装置３の機器本体２寄りの下端部３ｃを、幅方向Ｘと平行な軸芯を中心として回転自在に支持している。第１モータ２２は、スライドシャーシ２１に固定されている。第１モータ２２の出力軸にはウォーム２４が取り付けられている。ウォーム歯車２３は、スライドシャーシ２１に幅方向Ｘを中心として回転自在に支持されている。ウォーム歯車２３は、ウォーム２４とラック２０との双方と噛み合っている。
【００２６】
スライド部１２は、第１モータ２２が例えば正転駆動すると、ラック２０上をウォーム歯車２３が走行して、スライドシャーシ２１即ちタッチ装置３を機器本体２内から開口部２ａを通して機器本体２外に向かって移動する。スライド部１２は、第１モータ２２が例えば逆転駆動すると、ラック２０上をウォーム歯車２３が走行して、スライドシャーシ２１即ちタッチ装置３を機器本体２外から開口部２ａを通して機器本体２内に向かって移動する。
【００２７】
回動部１５は、第２モータ２５と、連結歯車２６と、回動軸用歯車２７とを備えている。第２モータ２５は、スライドシャーシ２１に固定されており、その出力軸にピニオン２８が取り付けられている。連結歯車２６は、スライドシャーシ２１に幅方向Ｘを中心として回転自在に支持されており、ピニオン２８と噛み合っている。回動軸用歯車２７は、タッチ装置３の前述した下端部３ｃに固定されている。回動軸用歯車２７は、連結歯車２６と噛み合っている。
【００２８】
前述した構成によって、回動部１５は、例えば、第２モータ２５が正転駆動すると、前述した下端部３ｃを中心として、幅方向Ｘ回りにタッチ装置３を立ち上げる方向に回転する。回動部１５は、第２モータ２５が逆転駆動すると、前述した下端部３ｃを中心として、幅方向Ｘ回りにタッチ装置３を立ち下げる方向に回転する。
【００２９】
前述した構成によって、駆動機構４は、第１モータ２２が例えば正転駆動してウォーム歯車２３がラック２０上を走行して、スライドシャーシ２１即ちタッチ装置３を機器本体２内に収容された収容位置（図２及び図６に示す）から機器本体２外に排出された排出位置（図４及び図７に示す）に向かって、機器本体２の奥行き方向Ｙに沿って、タッチ装置３を移動する。即ち、駆動機構４は、第１モータ２２が例えば正転駆動すると、開口部２ａを通して、機器本体２内のタッチ装置３を機器本体２外に排出させる。
【００３０】
また、駆動機構４は、第１モータ２２が例えば逆転駆動すると、ウォーム歯車２３がラック２０上を走行して、スライドシャーシ２１即ちタッチ装置３を前述の排出位置から収容位置に向かって、機器本体２の奥行き方向Ｙに沿って移動する。即ち、駆動機構４は、第１モータ２２が例えば逆転駆動すると、開口部２ａを通して、機器本体２外のタッチ装置３を機器本体２内に収容する。こうして、駆動機構４は、機器本体２内に収容された収容位置と、機器本体２内から排出された排出位置とに亘って、タッチ装置３などを移動する。即ち、駆動機構４は、図２に示す収容位置と、図３に示す位置と、図４に示す排出位置とに順に表示ユニット３などを移動する。
【００３１】
さらに、前述した構成によって、駆動機構４は、第２モータ２５が例えば正転駆動すると、機器本体２内から排出されて即ち収容位置から移動されて排出位置の初期位置（図４及び図７中に実線で示す）に位置付けられたタッチ装置３を、当該排出位置において、前述した下端部３ｃを中心として回転して、タッチ装置３の前面８ａが乗員室内の乗員などと相対する例えば図５及び図８中に二点鎖線で示す視認位置に位置付ける。なお、本明細書では、機器本体２外に位置付けられたタッチ装置３は、排出位置に位置付けられているという。即ち、本明細書では、視認位置と初期位置とは排出位置の一部である。また、本明細書では、排出位置においてタッチ装置３の前面８ａが下方に相対する状態を、タッチ装置３が排出位置の初期位置（図７中に実線で示す）に位置付けられているという。視認位置とは、初期位置から下端部３ｃを中心として回転された位置をいう。
【００３２】
また、駆動機構４は、第２モータ２５が例えば逆転駆動すると、前述した図５に示す視認位置に位置付けられた表示ユニット３を、前述した下端部３ｃを中心として回転して、前面８ａが下方に相対する前述した図４に示す排出位置の初期位置に向かって移動させる。このように、駆動機構４は、収容位置と、当該収容位置から機器本体２外に排出された排出位置とに亘って、タッチ装置３を移動させる。また、駆動機構４は、排出位置において、下端部３ｃを中心としてタッチ装置３を回転させて、後述する表示ユニット５に表示した情報を乗員に視認させる視認位置にタッチ装置３を変位する。
【００３３】
このように、駆動機構４は、下端部３ｃを中心としてタッチ装置３を回転することで、機器本体２外に排出されたタッチ装置３を立ち上げて視認位置に位置付けるとともに、当該視認位置からタッチ装置３を立ち下げて機器本体２から排出された排出位置の初期位置にタッチ装置３を位置付ける。なお、立ち上げるとは、排出位置のタッチ装置３を初期位置から視認位置に向かって変位させることをいい、立ち下げるとは、排出位置のタッチ装置３を視認位置から初期位置に向かって変位させることをいう。なお、視認位置は、操作面としての前面８ａが押圧操作されるタッチ装置３の当該前面８ａが露出した状態をなしている。
【００３４】
表示ユニット５は、可撓性を有しかつスクリーン状のＥＬ（Electro luminescence：エレクトロルミネッセンス）表示装置により構成されている。表示ユニット５は、その平面形状が矩形状に形成されている。表示ユニット５は、その一端部が、前述した視認位置に位置付けられたタッチ装置３の背面３ｂ（前述した前面８ａの裏側の面）の上端部３ａに取り付けられている。表示ユニット５の他端部は、巻き付け軸６の外周面に取り付けられている。
【００３５】
表示ユニット５は、タッチ装置３が前述した視認位置に位置付けられると、前述したナビゲーションユニットと、ＤＶＤプレーヤと、テレビチューナからの情報を表示する。
【００３６】
巻き付け軸６は、機器本体２内でかつ開口部２ａの近傍に配置されている。巻き付け軸６は、その軸芯が、幅方向Ｘと平行に配置され、かつ機器本体２にその軸芯周りに回転自在に支持されている。また、巻き付け軸６は、表示ユニット５を巻き取る方向に付勢手段としてのねじりコイルばね３０（図６及び図７に示す）により付勢されている。このため、タッチ装置３が、機器本体２内に収容されると、巻き付け軸６は、表示ユニット５をその外周面に巻き付けることとなる。
【００３７】
保持部材７は、部材本体３１と、ローラ部材としての保持ローラ３２とを備えている。部材本体３１は、板金などが折り曲げられるなどして得られ、視認位置に位置付けられたタッチ装置３の上端部３ａと下端部３ｃとに亘って移動自在に、当該タッチ装置３に支持されている。また、保持部材７は、図示しない付勢手段としてのばねなどにより、前記上端部３ａから下端部３ｃに向かって付勢されている。なお、この付勢手段としてのばねの付勢力は、前述したねじりコイルばね３０の付勢力よりも弱くなっている。
【００３８】
保持ローラ３２は、円柱状に形成され、前記保持部材７にその軸芯周りに回転自在に支持されている。保持ローラ３２は、その軸芯が幅方向Ｘと平行に配置され、かつ、タッチ装置３の背面３ｂと間隔あけて配置されている。保持ローラ３２は、タッチ装置３の背面３ｂとの間に表示ユニット５を挟みこむとともに、タッチ装置３の機器本体２からの出し入れにより巻き付け軸６に表示ユニット５が巻き付けられる動作に応じて、タッチ装置３に対して回転して表示ユニット５上を転動する。
【００３９】
前述した構成によれば、タッチ装置３が機器本体２内に収容されていると即ち収容位置に位置付けられると、図６に示すように、ねじりコイルばね３０の付勢力により、表示ユニット５は、巻き付け軸６の外周面に巻きつけられている。また、前述した付勢手段としてのばねの付勢力が、ねじりコイルばねの付勢力よりも弱いために、部材本体３１即ち保持部材７は、タッチ装置３の上端部３ａに位置付けられている。
【００４０】
そして、タッチ装置３が開口部２ａを通して機器本体２外に排出されるのにしたがって、ねじりコイルばね３０の付勢力に抗して、表示ユニット５が、巻き付け軸６から機器本体２外に排出される。また、タッチ装置３が開口部２ａを通して機器本体２外に排出されるのにしたがって、部材本体３１即ち保持部材７は、付勢力としてのばねの付勢力により下端部３ｃ即ち巻き付け軸６に向かって移動する。そして、タッチ装置３が視認位置に位置付けられると、部材本体３１即ち保持部材７は、図７に示すように、タッチ装置３の下端部３ｃに位置して、保持ローラ３２がタッチ装置３の背面３ｂとの間に表示ユニット５を挟む。そして、カーナビ１は、表示ユニット５に各種の情報を表示し、使用者などによりタッチ装置３の前面８ａに押圧操作が行われる。なお、表示ユニット５が機器本体から出し入れされるのに応じて、保持ローラ３２は、勿論、表示ユニット５の移動とともに回転する。
【００４１】
本実施例によれば、巻き付け軸６に巻き付けることで、可撓性を有する表示ユニット５を機器本体２の開口部２ａの近傍に収容するようにしている。このため、当該表示ユニット５に機器本体２内の各種の電子部品が発する熱が作用することを防止できる。よって、カーナビ１は、表示ユニット５の寿命が短くなることを防止することができる。
【００４２】
また、巻き付け軸６を、表示ユニット５を巻きつける方向に付勢する付勢手段としてのねじりコイルばね３０を設けている。このため、タッチ装置３を出し入れしても、当該タッチ装置３と機器本体２との間で表示ユニット５がたるむことを防止できる。
【００４３】
さらに、タッチ装置３の下端部３ｃに向かって付勢されかつタッチ装置３との間に表示部を挟む保持部材７を設けている。このため、タッチ装置３を機器本体２外に位置付けても、保持部材７がタッチ装置３との間に表示ユニット５を確実に挟むことができ、タッチ装置３と機器本体２との間で表示部がたるむことを防止できる。
【００４４】
また、保持部材７が、回転自在に設けられかつタッチ装置３との間に表示ユニット５を挟む保持ローラ３２を設けている。このため、表示ユニット５が機器本体２から出し入れされる際に、この表示ユニット５の移動とともに、保持ローラ３２が回転するので、保持部材７が表示ユニット５を傷つけることを防止できる。
【００４５】
前述した実施例によれば、以下のカーナビ１が得られる。
【００４６】
（付記）
機器本体２と、
前記機器本体２の前面２ｄに設けられた開口部２ａから当該機器本体２に出し入れ自在に設けられかつ機器本体２外で押圧操作される操作面８ａが露出した状態に位置付けられるタッチ装置３と、
一端部が、前記操作面８ａが露出した状態に位置付けられた前記タッチ装置３の上端部３ａに取り付けられた可撓性を有するスクリーン状の表示部５と、
前記機器本体２内でかつ前記開口部２ａの近傍に回転自在に設けられ、かつ前記表示部５の他端部が取り付けられているとともに、前記タッチ装置３が前記機器本体２内に収容されると前記表示部５を巻き付ける巻き付け軸６と、を備えたことを特徴とするカーナビ１。
【００４７】
付記によれば、巻き付け軸６に巻き付けることで、可撓性を有する表示ユニット５を機器本体２の開口部２ａの近傍に収容するようにしている。このため、当該表示ユニット５に機器本体２内の各種の電子部品が発する熱が作用することを防止できる。よって、カーナビ１は、表示ユニット５の寿命が短くなることを防止することができる。
【００４８】
なお、前述した実施例は、本発明の代表的な形態を示したに過ぎず、本発明は、実施例に限定されるものではない。即ち、本発明の骨子を逸脱しない範囲で種々変形して実施することができる。例えば、付勢手段としてのねじりコイルばね  の構成などを種々変更しても良い。
【図面の簡単な説明】
【００４９】
【図１】本発明の一実施例にかかる電子機器としてのカーナビが自動車のインパネに取り付けられた状態を示す斜視図である。
【図２】図１に示されたカーナビのタッチ装置が収容位置に位置付けられた状態を示す斜視図である。
【図３】図２に示されたタッチ装置が機器本体内から徐々に排出される状態を示す斜視図である。
【図４】図３に示されたタッチ装置が排出位置の初期位置に位置付けられた状態を示す斜視図である。
【図５】図４に示されたタッチ装置が排出位置の初期位置から視認位置に変位した状態を示す斜視図である。
【図６】図２に示されたカーナビの要部の断面図である。
【図７】図５に示されたカーナビの要部の断面図である。
【符号の説明】
【００５０】
１  カーナビ（電子機器）
２  機器本体
２ａ  開口部
２ｄ  前面
３  タッチ装置
３ａ  上端部
３ｂ  背面
３ｃ  下端部
５  表示ユニット（表示部）
６  巻き付け軸
７  保持部材
８ａ  前面（操作面）
３０  ねじりコイルばね
３２  保持ローラ
【図１】
2010032905.tif 000003
【図２】
2010032905.tif 000004
【図３】
2010032905.tif 000005
【図４】
2010032905.tif 000006
【図５】
2010032905.tif 000007
【図６】
2010032905.tif 000008
【図７】
2010032905.tif 000009